(57)【要約】      （修正有）【課題】より強いジョーネックを持つ交差ジョーヘッドを有する拡張可能なクランプを提供する。【解決手段】拡張可能なクランプは、各々が回転可能に相互接続された後部を有する第１ジョーおよび第２ジョーと、第１ジョーおよび第２ジョーが互いに接触している閉鎖位置に、第１ジョーおよび第２ジョーを移動させる弾性部材とを備えている。第１ジョーは、内部に向かって傾斜しており、２つの第１ジョーネックが空間を空けて形成されている第１段部を有している。第１ジョーヘッドが、各第１ジョーネックから外部に向かって伸びて当該第１ジョーネックに形成されている。第２ジョーは、１つの第２ジョーネックが形成されている第２段部を有している。第２ジョーヘッドが、第２ジョーネックから外部に向かって形成されている。ネジ穴が、第２ジョーに規定されている。【選択図】図５
0003181258.tif 000002
【実用新案登録請求の範囲】
【請求項１】
各々が回転可能に相互接続された後部を有する第１ジョーおよび第２ジョーを備え、
上記第１ジョーは、上記第２ジョーに面する第１内面と、当該第１内面に対向する第１外面とを有しており、
上記第２ジョーは、上記第１ジョーに面する第２内面と、当該第２内面に対向する第２外面とを有しており、
上記第１ジョーおよび上記第２ジョーが互いに接触している閉鎖位置に、当該第１ジョーおよび当該第２ジョーを移動させる弾性部材をさらに備え、
上記第１ジョーは、内部に向かって傾斜しており、２つの第１ジョーネックが空間を空けて形成されている第１段部をさらに有し、
第１ジョーヘッドが、各上記第１ジョーネックから外部に向かって伸びて当該第１ジョーネックに形成されており、
上記第２ジョーは、１つの第２ジョーネックが形成されている第２段部をさらに有し、
第２ジョーヘッドが、上記第２ジョーネックから外部に向かって伸びて当該第２ジョーネックに形成されており、
ネジ穴が、上記第２ジョーに規定されており、
止めネジが、上記ネジ穴に嵌め込み可能になっており、
上記閉鎖位置にある場合、上記第１ジョーネックおよび上記第１ジョーヘッドは、上記第２ジョーネックおよび上記第２ジョーヘッドがそれぞれ２つの上記第１ジョーネックの間、および２つの上記第１ジョーヘッドの間の空間に留まっている状態で、当該第２ジョーネックおよび当該第２ジョーヘッドと交差していることを特徴とする拡張可能なクランプ。
【請求項２】
一方の上記後部は半円尾部であり、他方の上記後部は上記半円尾部を回転可能に収容可能な半円管であることを特徴とする請求項１に記載の拡張可能なクランプ。
【考案の詳細な説明】
【技術分野】
【０００１】
本考案は、モジュラーフレームアセンブリのための、交差ジョーヘッドを有する拡張可能なクランプに関し、より詳細には、より強い構造およびより小さい体積を持つ拡張可能なクランプに関する。
【背景技術】
【０００２】
モジュラーパネルフレームアセンブリシステムは、オフィスのパーティション、陳列棚、および窓の支持部材等の用途で広く用いられている。従来におけるモジュラーパネルフレームアセンブリのための一般的な拡張可能なクランプは、米国特許第４９０７３８８号明細書に開示されている。クランプは、十分な空間によって互いに常に分離されている対向ジョーを有している。フレーム部材は、拡張可能なクランプに接合可能な長軸方向に伸びる中央スリットを少なくとも１つ有している。
【０００３】
従来の拡張可能なクランプは、いずれも基本的に１組の左右対称の対向ジョーを有しており、フレーム部材内における長軸中央スリットの最大幅は、当該フレーム部材の断面積に応じて定められるという共通の問題に直面している。幅の広い中央スリットは、断面積が小さいフレーム部材の強度を著しく低減してしまう。フレーム部材の厚さは、拡張可能なクランプが拡張した際に、中央スリットがジョーネックに及ぼす折り曲げ力に耐えるのに十分な厚さでなければならない。そのため、従来の拡張可能なクランプは「厚い」フレーム部材にのみ適用可能であった。比較的小さい断面積を有する「薄い」フレーム部材は、十分の強度を持つジョーネックを有する従来の拡張可能なクランプを挿入するのに十分な幅を有する中央スリットを実現できない。従来のフレーム部材にとって十分な大きさのフレーム部材であっても、ジョーネックがクランプにおいて最も脆弱な部分である。これは、ジョーネックの厚さが中央スリットの厚さの半分よりも小さいにも関わらず、拡張した際に中央スリットからの強い折り曲げ力を常にジョーネックが受けるためである。
【考案の概要】
【考案が解決しようとする課題】
【０００４】
本考案の主な目的は、より幅の広い中央スリットを持つフレーム部材を用いなくとも、より強いジョーネックを持つ交差ジョーヘッドを有する拡張可能なクランプを提供することにある。
【０００５】
本考案の別の目的は、小さい断面積のフレーム部材にとって十分に強いジョーネックを持つ小型の交差ジョーヘッドを有する拡張可能なクランプを提供することにある。
【課題を解決するための手段】
【０００６】
上記の課題を解決するために、本考案では、各々が回転可能に相互接続された後部を有する第１ジョーおよび第２ジョーと、上記第１ジョーおよび上記第２ジョーが互いに接触している閉鎖位置に、当該第１ジョーおよび当該第２ジョーを移動させる弾性部材とを備える拡張可能なクランプを提供する。上記第１ジョーは、上記第２ジョーに面する第１内面と、当該第１内面に対向する第１外面とを有しており、上記第２ジョーは、上記第１ジョーに面する第２内面と、当該第２内面に対向する第２外面とを有している。上記第１ジョーは、内部に向かって傾斜しており、２つの第１ジョーネックが空間を空けて形成されている第１段部をさらに有している。第１ジョーヘッドが、各上記第１ジョーネックから外部に向かって伸びて当該第１ジョーネックに形成されている。上記第２ジョーは、１つの第２ジョーネックが形成されている第２段部をさらに有している。第２ジョーヘッドが、上記第２ジョーネックから外部に向かって伸びて当該第２ジョーネックに形成されている。ネジ穴が、上記第２ジョーに規定されている。止めネジが、上記ネジ穴に嵌め込み可能になっている。上記閉鎖位置にある場合、上記第１ジョーネックおよび上記第１ジョーヘッドは、上記第２ジョーネックおよび上記第２ジョーヘッドがそれぞれ２つの上記第１ジョーネックの間、および２つの上記第１ジョーヘッドの間の空間に留まっている状態で、当該第２ジョーネックおよび当該第２ジョーヘッドと交差していることを特徴とする拡張可能なクランプ。
【０００７】
従来の左右対称のジョーを持つ拡張可能なクランプと比べると、本考案に係るジョーネックはフレーム部材のスリットの半分よりも小さい必要はないが、スリットのおよそ全幅に相当する厚さを有している。ジョーネックの強度は、本考案に係る拡張可能なクランプの強度は、著しく増大する。その結果、スリットが従来サイズである場合、本考案に係る拡張可能なクランプの強度はより高い。また、従来の強度が求められる状況である場合、拡張可能なクランプを小型化することができ、小さい断面積のフレーム部材に好適に用いることができる。
【０００８】
本考案の上記および他の目的、特徴、および利点については、以下の詳細な説明、添付の図面、および添付の請求項から明らかとなる。
【図面の簡単な説明】
【０００９】
【図１】フレーム部材の側面を示す平面図である。
【図２】本考案の好適な実施形態に係る拡張可能なクランプであって、２つのフレーム部座に接続され、閉鎖位置にある拡張可能なクランプの側面を示す平面図である。
【図３】本考案の好適な実施形態に係る拡張可能なクランプであって、２つのフレーム部材に接続され、拡張位置にある拡張可能なクランプの側面を示す他の平面図である。
【図４】拡張位置にある本考案の好適な実施形態に係る拡張可能なクランプの概略を示す透視図である。
【図５】閉鎖位置にある本考案の好適な実施形態に係る拡張可能なクランプの概略を示す透視図である。
【図６】本考案の好適な実施形態に係る拡張可能なクランプの第１ジョーの概略を示す透視図である。
【図７】本考案の好適な実施形態に係る拡張可能なクランプの第２ジョーの概略を示す透視図である。
【図８】本考案の好適な実施形態に係る拡張可能なクランプの第１ジョーの上面を示す平面図である。
【図９】本考案の好適な実施形態に係る拡張可能なクランプの第２ジョーの上面を示す平面図である。
【図１０】本考案の好適な実施形態に係る拡張可能なクランプの圧縮可能な棒を示す透視図である。
【図１１】本考案の好適な実施形態に係る拡張可能なクランプの止めネジを示す透視図である。
【考案を実施するための形態】
【００１０】
本考案の好適な実施形態に係る拡張可能なクランプ１であって、第１フレーム部材２および第２フレーム部材３に接続されている拡張可能なクランプ１を図１に示す。第１フレーム部材２は、自身に規定された少なくとも１つのスリット２０１を有しており、当該スリット２０１によって、２つの対向フランジ２０２および２０３が形成されている。拡張可能なクランプ１は、第２フレーム部材３の中に収容されており、止めネジ４０によって、第２フレーム部材３に対して縦方向に固定されている。
【００１１】
図３〜８に示すように、拡張可能なクランプ１は、回転可能に相互接続された後部１１および２１を各々が有する第１ジョー１０および第２ジョー２０を有している。第１ジョー１０は、第２ジョー２０に面している第１内面１２と、当該第１内面１２に対向する第１外面１２とを有している。第２ジョー２０は、第１ジョー１０に面している第２内面２２と、当該第２内面２２に対向する第２外面２３を有している。後部１１および２１の接続には従来技術を用いており、両者を回転可能に接続できれば、いかなる方法を用いてもよい。図面に示しているのは、速成アセンブリ結合と呼ばれる一般的な方法である。この方法では、一方の後部２１は半円尾部２４であり、他方の後部１１は半円尾部２４を回転可能に収容可能な半円管１４である。圧縮可能な棒３０が半円尾部２２と半円管１２との間に挿入可能になっていることにより、特に図１および４に図示されているように、第１ジョー１０および第２ジョー２０が互いに接触している閉鎖位置に第１ジョー１０および第２ジョー２０を移動させている。
【００１２】
第１ジョー１０は、内部に向かって傾斜しており、２つの第１ジョーネック１６が空間１７を空けて形成されている第１段部１５を有している。１つの第１ジョーヘッド１８が、各第１ジョーネック１６から外部に向かって伸びて当該各第１ジョーネック１６に形成されている。第２ジョー２０は、内部に向かって傾斜しており、１つの第２ジョーネック２６が形成されている第２段部２５を有している。１つの第２ジョーヘッド２７が、第２ジョーネック２６から外部に向かって伸びて当該第２ジョーネック２６に形成されている。止めネジ４０は、第２ジョー２０に規定されているネジ穴２８の内部を糸のように通っている。特に図１および４に示すように、拡張可能なクランプ１が閉鎖位置にある場合、第１ジョーネック１６および第１ジョーヘッド１８は、第２ジョーネック２６および第２ジョーヘッド２７がそれぞれ２つの第１ジョーネック１６の間、および２つの第１ジョーヘッド１８の間の空間１７に留まっている状態で、当該第２ジョーネック２６および当該第２ジョーヘッド２７と交差している。
【００１３】
使用時には、図１および２に示すように、拡張可能なクランプは第２フレーム部材３内に挿入され、その後、止めネジ４０がネジ穴２８に回転して入れられ、第２フレーム部材３に規定された開口部３０１に通される。拡張可能なクランプ１は、第２フレーム部材３の中に収容されており、止めネジ４０によって、第２フレーム部材３に対して縦方向に固定されている。その後、交差ジョーヘッド１８および２７が、第１フレーム部材２内のスリット２０１に挿入される。止めネジ４０を回転し続けることにより、第１内面１２に接触して、当該第１内面１２を押下する。その結果、図３に示すように、第１ジョー１０および第２ジョー２０が拡張する。拡張位置にある場合、ジョーヘッド１８および２７は対向フランジ２０２および２０３に嵌め込まれる。その結果、拡張可能なクランプ１は、第１フレーム部材２および第２フレーム部材３の双方にしっかりと接続される。以上の逆の動作を行うことにより、第１フレーム部材２および第２フレーム部材３を解放することができる。
【００１４】
以上の説明から、本考案の目的を十分かつ効果的に成し遂げられたのが分かる。本考案の実施形態は、本考案の機能的および構造的な本質を示す目的で図示および説明されたものであり、本考案の本質を逸脱しない範囲で変更可能である。そのため、本考案は、以下の請求項の精神および範囲に含まれるすべての変更を包含するものである。
【図１】
0003181258.tif 000003
【図２】
0003181258.tif 000004
【図３】
0003181258.tif 000005
【図４】
0003181258.tif 000006
【図５】
0003181258.tif 000007
【図６】
0003181258.tif 000008
【図７】
0003181258.tif 000009
【図８】
0003181258.tif 000010
【図９】
0003181258.tif 000011
【図１０】
0003181258.tif 000012
【図１１】
0003181258.tif 000013